(57)【特許請求の範囲】
【請求項１】
連続する製造物が連続的に流れる製造プロセスの操業を支援するための操業支援装置であって、
前記製造プロセスのステージの分け方、当該ステージ毎の前記製造物の属性及びその状態、前記製造物の属性の状態の遷移経路、当該ステージ毎の設備及びその状態、設備の状態の遷移経路、についてのオペレータによる入力を受けて、前記製造プロセスを製造物の流れ方向に複数のステージに分け、ステージ毎に製造物の属性の状態遷移モデルと設備の状態遷移モデルとを作成し、各ステージ内での製造物の属性の状態と設備の状態との間の影響関係を定義して作成した離散モデルを格納する格納手段と、
ステージ及び製造物の属性の状態の複数の組み合わせで定義され、前記製造プロセスのトラブル発生の恐れが高い状態である危機状態を指定する指定手段と、
前記離散モデルに基づいて、前記指定手段で指定された危機状態により特定されるステージ及び製造物の属性に限定したかたちで、初期状態から前記危機状態に至るまでの経路を表わす状態遷移図を作成する状態遷移図作成手段と、
前記状態遷移図作成手段により作成した一の危機状態に至るまでの経路を表わす状態遷移図と、他の危機状態に至るまでの経路を表わす状態遷移図とに基づいて、前記一の危機状態に至るまでの経路において、前記製造プロセスに対するあるオペレーションを実施した場合、当該オペレーションが前記他の危機状態に至るまでの経路に対して影響を与えるかどうかを判定する判定手段と、を備えたことを特徴とする製造プロセスの操業支援装置。
【請求項２】
前記状態遷移図作成手段により作成した状態遷移図を用いて、前記状態遷移図を構成する各状態の発生確度と危険度との関係を表わすリスクマトリクスを作成するリスクマトリクス作成手段を備えたことを特徴とする請求項１に記載の製造プロセスの操業支援装置。
【請求項３】
前記判定手段は、
前記オペレーションを実施して前記一の危機状態に至るまでの経路に含まれる製造物の属性の状態が変化することにより、前記他の危機状態に至るまでの経路に含まれる製造物の属性の状態が変化するかどうかを、前記離散モデルに基づいて判定し、
前記他の危機状態に至るまでの経路に含まれる製造物の属性の状態が変化する場合、前記オペレーションが前記他の危機状態に至るまでの経路に対して影響を与えると判定することを特徴とする請求項１又は２に記載の製造プロセスの操業支援装置。
【請求項４】
前記状態遷移図作成手段により作成した複数の危機状態についての状態遷移図において前記初期状態から前記各危機状態に至るまでの最短経路をそれぞれ抽出し、列挙する俯瞰情報作成手段を備えたことを特徴とする請求項１乃至３のいずれか１項に記載の製造プロセスの操業支援装置。
【請求項５】
前記離散モデルでは、同時刻に別ステージに存在する製造物から受ける影響である、ステージ間での製造物の属性間の影響関係を更に定義していることを特徴とする請求項１乃至４のいずれか１項に記載の製造プロセスの操業支援装置。
【請求項６】
前記離散モデルでは、上流側のステージでの製造物の属性の状態が、製造物の移動に伴って下流側のステージに受け渡される関係を更に定義していることを特徴とする請求項１乃至５のいずれか１項に記載の製造プロセスの操業支援装置。
【請求項７】
連続する製造物が連続的に流れる製造プロセスの操業を支援するための操業支援方法であって、
ステージ及び製造物の属性の状態の複数の組み合わせで定義され、前記製造プロセスのトラブル発生の恐れが高い状態である危機状態を指定する指定ステップと、
前記製造プロセスのステージの分け方、当該ステージ毎の前記製造物の属性及びその状態、前記製造物の属性の状態の遷移経路、当該ステージ毎の設備及びその状態、設備の状態の遷移経路、についてのオペレータによる入力を受けて、前記製造プロセスを製造物の流れ方向に複数のステージに分け、ステージ毎に製造物の属性の状態遷移モデルと設備の状態遷移モデルとを作成し、各ステージ内での製造物の属性の状態と設備の状態との間の影響関係を定義して作成した離散モデルに基づいて、前記指定ステップで指定された危機状態により特定されるステージ及び製造物の属性に限定したかたちで、初期状態から前記危機状態に至るまでの経路を表わす状態遷移図を作成する状態遷移図作成ステップと、
前記状態遷移図作成ステップにより作成した一の危機状態に至るまでの経路を表わす状態遷移図と、他の危機状態に至るまでの経路を表わす状態遷移図とに基づいて、前記一の危機状態に至るまでの経路において、前記製造プロセスに対するあるオペレーションを実施した場合、当該オペレーションが前記他の危機状態に至るまでの経路に対して影響を与えるかどうかを判定する判定ステップと、を有することを特徴とする製造プロセスの操業支援方法。
【請求項８】
連続する製造物が連続的に流れる製造プロセスの操業を支援するためのプログラムであって、
前記製造プロセスのステージの分け方、当該ステージ毎の前記製造物の属性及びその状態、前記製造物の属性の状態の遷移経路、当該ステージ毎の設備及びその状態、設備の状態の遷移経路、についてのオペレータによる入力を受けて、前記製造プロセスを製造物の流れ方向に複数のステージに分け、ステージ毎に製造物の属性の状態遷移モデルと設備の状態遷移モデルとを作成し、各ステージ内での製造物の属性の状態と設備の状態との間の影響関係を定義して作成した離散モデルを格納する格納手段と、
ステージ及び製造物の属性の状態の複数の組み合わせで定義され、前記製造プロセスのトラブル発生の恐れが高い状態である危機状態を指定する指定手段と、
前記離散モデルに基づいて、前記指定手段で指定された危機状態により特定されるステージ及び製造物の属性に限定したかたちで、初期状態から前記危機状態に至るまでの経路を表わす状態遷移図を作成する状態遷移図作成手段と、
前記状態遷移図作成手段により作成した一の危機状態に至るまでの経路を表わす状態遷移図と、他の危機状態に至るまでの経路を表わす状態遷移図とに基づいて、前記一の危機状態に至るまでの経路において、前記製造プロセスに対するあるオペレーションを実施した場合、当該オペレーションが前記他の危機状態に至るまでの経路に対して影響を与えるかどうかを判定する判定手段と、してコンピュータを機能させるためのプログラム。
【発明の詳細な説明】
【技術分野】
【０００１】
本発明は、例えば連続鋳造プロセスのように、連続する製造物が連続的に流れる製造プロセスの操業を支援するのに好適な操業支援装置、方法及びプログラムに関する。
【背景技術】
【０００２】
連続鋳造の安定操業を実現するためには、操業者が常に適切なオペレーションを判断、選択する必要があり、そのためには、設備や製品の状態を精度良く予測することが重要である。
【０００３】
上記予測のために、操業者、特に熟練者は、連続鋳造プロセスにおける鋼の状態に関する断片的な情報を因果関係により統合することにより、連続鋳造プロセスの認知モデルを構築している。そして、操業者は、頭の中に連続鋳造プロセスの認知モデルを知識として持つため、鋼の状態を推定し、将来状態を予測し、適切なオペレーションを実施することによってトラブルを回避してきた。
【０００４】
一方で、近年では、熟練者の減少による生産性低下、操業トラブル発生等が増加しており、熟練者でなくても適切なオペレーションを実施できるように支援することが求められている。
【０００５】
上記のような熟練者減少への対応として、物理現象を統計解析手法により表現した数値モデルを用いたシミュレーションを行うことで操業状態を予測する方法がある。例えば特許文献１には、主成分分析、独立成分分析、Wavelet解析のいずれかの手法を応用することで作成した数値モデルを用いて操業状態を予測している。様々な操業因子をモデルに組み込むことができるため複雑なプロセスであっても数値モデルを作成することができる。
【０００６】
さらに、時系列データベースから過去の操業状態の類似事例を検索し、操業状態の将来予測する方法もある。例えば特許文献２には、類似事例の検索の前処理として、時系列データのノイズを削減することで、時間スケールに対して周期の短い操業因子が多数含まれるような複雑なプロセスであっても、実用上十分な予測精度を得ることができるとされている。
【先行技術文献】
【特許文献】
【０００７】
【特許文献１】特開２０１０−２１４４１７号公報
【特許文献２】特開２００９−７６０３７号公報
【非特許文献】
【０００８】
【非特許文献１】村田  忠夫：ペトリネットの解析と応用、近代科学社（１９９２）
【発明の概要】
【発明が解決しようとする課題】
【０００９】
しかしながら、一般に、連続系プロセスには、製品の物質としての状態が温度や成分によって様々な形態をとる、その状態が時間や設備の操業次第で変化する、製品の状態が設備の状態を変化させ、それがまた製品の状態に影響を及ぼす、等複雑な相互干渉が存在する。特許文献１や特許文献２に開示の技術は、簡便な方法で操業状態を予測することを狙ったものであるが、上述のような設備や製品の状態が複雑に干渉する現象のモデルを精度高く構築することは難しい。
【００１０】
そこで、熟練者の頭の中の認知モデルが、上述のような設備や製品の状態の複雑な相互干渉をも考慮したものであることに注目して、これまでは熟練者の頭の中にあった連続鋳造プロセスの認知モデルを客観的にする、すなわち鋼の状態遷移における因果関係をモデリングして、操業トラブル回避や操業トラブル発生時のアクションをガイダンスできるようにすることが求められている。
【００１１】
本発明は上記のような点に鑑みてなされたものであり、連続する製造物が連続的に流れる製造プロセスを離散モデリングし、その離散モデルを利用して製造プロセスの操業を支援できるようにすることを目的とする。
【課題を解決するための手段】
【００１２】
本発明の製造プロセスの操業支援装置は、連続する製造物が連続的に流れる製造プロセスの操業を支援するための操業支援装置であって、前記製造プロセスのステージの分け方、当該ステージ毎の前記製造物の属性及びその状態、前記製造物の属性の状態の遷移経路、当該ステージ毎の設備及びその状態、設備の状態の遷移経路、についてのオペレータによる入力を受けて、前記製造プロセスを製造物の流れ方向に複数のステージに分け、ステージ毎に製造物の属性の状態遷移モデルと設備の状態遷移モデルとを作成し、各ステージ内での製造物の属性の状態と設備の状態との間の影響関係を定義して作成した離散モデルを格納する格納手段と、ステージ及び製造物の属性の状態の複数の組み合わせで定義され、前記製造プロセスのトラブル発生の恐れが高い状態である危機状態を指定する指定手段と、前記離散モデルに基づいて、前記指定手段で指定された危機状態により特定されるステージ及び製造物の属性に限定したかたちで、初期状態から前記危機状態に至るまでの経路を表わす状態遷移図を作成する状態遷移図作成手段と、前記状態遷移図作成手段により作成した一の危機状態に至るまでの経路を表わす状態遷移図と、他の危機状態に至るまでの経路を表わす状態遷移図とに基づいて、前記一の危機状態に至るまでの経路において、前記製造プロセスに対するあるオペレーションを実施した場合、当該オペレーションが前記他の危機状態に至るまでの経路に対して影響を与えるかどうかを判定する判定手段と、を備えたことを特徴とする。
また、本発明の製造プロセスの操業支援装置の他の特徴とするところは、前記状態遷移図作成手段により作成した状態遷移図を用いて、前記状態遷移図を構成する各状態の発生確度と危険度との関係を表わすリスクマトリクスを作成するリスクマトリクス作成手段を備えた点にある。
また、本発明の製造プロセスの操業支援装置の他の特徴とするところは、前記判定手段は、前記オペレーションを実施して前記一の危機状態に至るまでの経路に含まれる製造物の属性の状態が変化することにより、前記他の危機状態に至るまでの経路に含まれる製造物の属性の状態が変化するかどうかを、前記離散モデルに基づいて判定し、前記他の危機状態に至るまでの経路に含まれる製造物の属性の状態が変化する場合、前記オペレーションが前記他の危機状態に至るまでの経路に対して影響を与えると判定する点にある。
また、本発明の製造プロセスの操業支援装置の他の特徴とするところは、前記状態遷移図作成手段により作成した複数の危機状態についての状態遷移図において前記初期状態から前記各危機状態に至るまでの最短経路をそれぞれ抽出し、列挙する俯瞰情報作成手段を備えた点にある。
また、本発明の製造プロセスの操業支援装置の他の特徴とするところは、前記離散モデルでは、同時刻に別ステージに存在する製造物から受ける影響である、ステージ間での製造物の属性間の影響関係を更に定義している点にある。
また、本発明の製造プロセスの操業支援装置の他の特徴とするところは、前記離散モデルでは、上流側のステージでの製造物の属性の状態が、製造物の移動に伴って下流側のステージに受け渡される関係を更に定義している点にある。
本発明の製造プロセスの操業支援方法は、連続する製造物が連続的に流れる製造プロセスの操業を支援するための操業支援方法であって、ステージ及び製造物の属性の状態の複数の組み合わせで定義され、前記製造プロセスのトラブル発生の恐れが高い状態である危機状態を指定する指定ステップと、前記製造プロセスのステージの分け方、当該ステージ毎の前記製造物の属性及びその状態、前記製造物の属性の状態の遷移経路、当該ステージ毎の設備及びその状態、設備の状態の遷移経路、についてのオペレータによる入力を受けて、前記製造プロセスを製造物の流れ方向に複数のステージに分け、ステージ毎に製造物の属性の状態遷移モデルと設備の状態遷移モデルとを作成し、各ステージ内での製造物の属性の状態と設備の状態との間の影響関係を定義して作成した離散モデルに基づいて、前記指定ステップで指定された危機状態により特定されるステージ及び製造物の属性に限定したかたちで、初期状態から前記危機状態に至るまでの経路を表わす状態遷移図を作成する状態遷移図作成ステップと、前記状態遷移図作成ステップにより作成した一の危機状態に至るまでの経路を表わす状態遷移図と、他の危機状態に至るまでの経路を表わす状態遷移図とに基づいて、前記一の危機状態に至るまでの経路において、前記製造プロセスに対するあるオペレーションを実施した場合、当該オペレーションが前記他の危機状態に至るまでの経路に対して影響を与えるかどうかを判定する判定ステップと、を有することを特徴とする。
本発明のプログラムは、連続する製造物が連続的に流れる製造プロセスの操業を支援するためのプログラムであって、前記製造プロセスのステージの分け方、当該ステージ毎の前記製造物の属性及びその状態、前記製造物の属性の状態の遷移経路、当該ステージ毎の設備及びその状態、設備の状態の遷移経路、についてのオペレータによる入力を受けて、前記製造プロセスを製造物の流れ方向に複数のステージに分け、ステージ毎に製造物の属性の状態遷移モデルと設備の状態遷移モデルとを作成し、各ステージ内での製造物の属性の状態と設備の状態との間の影響関係を定義して作成した離散モデルを格納する格納手段と、ステージ及び製造物の属性の状態の複数の組み合わせで定義され、前記製造プロセスのトラブル発生の恐れが高い状態である危機状態を指定する指定手段と、前記離散モデルに基づいて、前記指定手段で指定された危機状態により特定されるステージ及び製造物の属性に限定したかたちで、初期状態から前記危機状態に至るまでの経路を表わす状態遷移図を作成する状態遷移図作成手段と、前記状態遷移図作成手段により作成した一の危機状態に至るまでの経路を表わす状態遷移図と、他の危機状態に至るまでの経路を表わす状態遷移図とに基づいて、前記一の危機状態に至るまでの経路において、前記製造プロセスに対するあるオペレーションを実施した場合、当該オペレーションが前記他の危機状態に至るまでの経路に対して影響を与えるかどうかを判定する判定手段と、してコンピュータを機能させる。
【発明の効果】
【００１３】
本発明によれば、計算量を抑えながら、初期状態から危機状態に至るまでの経路を表わす状態遷移図を作成できるとともに、操業者にとって必要な、危機状態に関係のある情報だけを抽出して危機状態に至るまでの経路を提示することができ、製造プロセスの操業を支援することができる。
【図面の簡単な説明】
【００１４】
【図１】連続鋳造プロセスの概要を示す図である。
【図２】連続鋳造プロセスの離散モデリングの手順を示すフローチャートである。
【図３】各ステージの製造物の属性を説明する図である。
【図４】ペトリネットを説明する図である。
【図５】ＴＤステージでの製造物の属性の状態遷移モデル及び設備の状態遷移モデルを示す図である。
【図６】鋳型ステージでの製造物の温度及び湯面レベルの状態遷移モデルと、垂直領域ステージでの製造物のバルジングの状態遷移モデルを示す図である。
【図７】ノズルステージでの製造物の流量の状態遷移モデルと、鋳型ステージでの製造物の湯面レベルの状態遷移モデルを示す図である。
【図８】操業支援１を行うのに好適な連続鋳造プロセスの操業支援装置の構成例を示す図である。
【図９】操業支援装置による操業支援１の手順を示すフローチャートである。
【図１０】ＴＤステージの状態遷移モデルから作成した可到達木を示す図である。
【図１１】鋳型ステージでの製造物の温度及び湯面レベルの状態遷移モデルから作成した可到達木と、垂直領域ステージでの製造物のバルジングの状態遷移モデルから作成した可到達木とを示す図である。
【図１２】図６に対応する鋳型ステージ及び垂直領域ステージの可到達木を示す図である。
【図１３】鋳型ステージでの製造物の温度及び湯面レベルの状態遷移モデルと、垂直領域ステージでの製造物のバルジングの状態遷移モデルを示す図である。
【図１４】図１３に対応する鋳型ステージ及び垂直領域ステージの可到達木を示す図である。
【図１５】リスクマトリクスの例を示す図である。
【図１６】リスクマトリクスの例を示す図である。
【図１７】製造物の属性の状態遷移モデルと設備の状態遷移モデルとを分離して作成した可到達木を示す模式図である。
【図１８】ある危機状態が指定された場合の可到達木を示す模式図である。
【図１９】ある危機状態が指定された場合のリスクマトリクスを示す模式図である。
【図２０】２つの危機状態についてのリスクマトリクスを示す模式図である。
【図２１】一の危機状態に至るまでの経路を表わす可到達木のリスクマトリクスを示す模式図であり、オペレーションにより「状態」が遷移する様子を示す図である。
【図２２】連続鋳造プロセスの離散モデルにおける製造物の属性間の関係を示す図である。
【図２３】他の危機状態に至るまでの経路を表わす可到達木のリスクマトリクスを示す模式図である。
【図２４】俯瞰情報を示す模式図である。
【図２５】俯瞰情報において、ある危機状態を回避するためのオペレーションを実施する際に、他のどの危機状態に至るまでの経路が影響を受けるかを説明するための図である。
【図２６】製造物の属性の状態を減らす変換を説明するための図である。
【図２７】操業支援２を行うのに好適な連続鋳造プロセスの操業支援装置の構成例を示す図である。
【図２８】操業支援装置が出力装置に表示する画面の例を示す図である。
【図２９】操業支援装置が出力装置に表示する画面の例を示す図である。
【図３０】事例１の俯瞰情報を示す図である。
【図３１】事例２の俯瞰情報を示す図である。
【図３２】事例３の俯瞰情報を示す図である。
【図３３】事例３の俯瞰情報を示す図である。
【発明を実施するための形態】
【００１５】
以下、添付図面を参照して、本発明の好適な実施形態について説明する。
［連続鋳造プロセスの概要］
連続鋳造プロセスでは、図１に示すように、不図示の転炉で作られた溶鋼が二次精錬を経て取鍋１００に入れられ、連続鋳造設備の最上部に運ばれる。溶鋼は、取鍋１００の底部から下のタンディッシュ２００へ注がれる。そして、タンディッシュ２００に注がれた溶鋼は、タンディッシュ２００の底部からノズル３００を介して鋳型４００へと注がれる。鋳型４００に接触した溶鋼は精密に調整されながら冷やされて凝固して鋼片となり、不図示のロールで運ばれながら、ロール列末端にある不図示のガス切断機で適度な長さに切断される。
【００１６】
［連続鋳造プロセスの離散モデリング］
まず、図１に示したような連続鋳造プロセスの離散モデリングについて説明する。連続鋳造プロセスでは、連続する（物理的に繋がっている）製造物（溶鋼、鋼片）が連続的に流れる（移動する）。このように「連続」という特徴を持つ連続鋳造プロセスを離散モデリングすることは、「連続」の中に認知される因果関係を抽出し、それを離散モデルとして定義することに相当する。そこで、製造物の状態をステージ毎に定義し、離散化することとしている。
【００１７】
図２に、連続鋳造プロセスの離散モデリングの手順を示す。最初に、連続鋳造プロセスを、製造物が流れる方向に複数のステージに分ける（ステップＳ１０１）。本実施形態では、図３に示すように、上流側からタンディッシュステージ（ＴＤステージ）、ノズルステージ、鋳型ステージ、及び垂直領域ステージでの４つに分けている。
【００１８】
次に、ステージ毎に、製造物の属性及びその状態を定義する（ステップＳ１０２）。例えば、図３に示すように、ＴＤステージでの製造物の属性及びその状態として、温度（高・普・低）、粘性（高・普）を定義している。また、ノズルステージでの製造物の属性及びその状態として、温度（高・普・低）、流量（適切・少）、流れ（整流・偏流）を定義している。また、鋳型ステージでの製造物の属性及びその状態として、温度（高・普・低）、温度均一性（均一・不均一）、シェル厚（適切・薄）、シェル均一性（均一・不均一）、介在物（有り・無し）、表面引張応力（強い・弱い）、湯面レベル（適切・低）を定義している。また、垂直領域ステージでの製造物の属性及びその状態として、温度（高・普・低）、シェル厚（適切・薄）、バルジング有無（有り・無し）を定義している。なお、ここで挙げた製造物の属性及びその状態は一例であり、これに限定されるものではない。
【００１９】
次に、ステージ毎に、製造物の属性の状態の遷移経路を定義する（ステップＳ１０３）。例えば各ステージにおいて、製造物の温度については、温度高と温度低との間の移動は、必ず温度普を経てから移動する等の遷移経路を定義する。
【００２０】
次に、ステージ毎に、製造物の属性の状態遷移モデルＭ１を作成する（ステップＳ１０４）。本実施形態では、製造物の属性の状態遷移モデルＭ１をペトリネットで作成する。ペトリネットは並列非同期同時進行する複数のプロセスからなる離散事象システムを表現するグラフィカルで実行可能な数学モデルであり、図４に示すように、状態をプレースＰ、遷移をトランジションＴとして記述し、トランジションＴの発火によりトークンが入力側のプレースＰ１、Ｐ２から出力側のプレースＰ３に移動することで、対象の振る舞いを表現する。なお、ペトリネットについては非特許文献１等に詳しく記述されている。
【００２１】
図５には、ＴＤステージでの製造物の属性の状態遷移モデルＴＤ−Ｍ１を示す。温度について、温度高のプレース、温度普のプレース及び温度低のプレースがトランジションＴ９〜Ｔ１２を介して接続する。温度低のプレースにトークンがある場合、トランジションＴ１１が発火可能であり、発火するとトークンが温度普のプレースに移動する。また、温度普のプレースにトークンがある場合、トランジションＴ９が発火可能であり、発火するとトークンが温度高のプレースに移動する。また、温度高のプレースにトークンがある場合、トランジションＴ１０が発火可能であり、発火するとトークンが温度普のプレースに移動する。また、温度普のプレースにトークンがある場合、トランジションＴ１２が発火可能であり、発火するとトークンが温度低のプレースに移動する。
【００２２】
また、粘性について、粘性高のプレース及び粘性普のプレースがトランジションＴ１３及びＴ１４を介して接続する。粘性高のプレースにトークンがある場合、トランジションＴ１４が発火可能であり、発火するとトークンが粘性普のプレースに移動する。また、粘性普のプレースにトークンがある場合、トランジションＴ１３が発火可能であり、発火するとトークンが粘性（高）のプレースに移動する。
【００２３】
なお、ここではＴＤステージでの製造物の属性の状態遷移モデルＴＤ−Ｍ１について詳述したが、ノズルステージ、鋳型ステージ、及び垂直領域ステージについても、それぞれ製造物の属性の状態遷移モデルＮＯＺ−Ｍ１、ＭＤ−Ｍ１、Ｖ−Ｍ１を作成する。
【００２４】
全ステージについて製造物の属性の状態遷移モデルＭ１を作成したならば（ステップＳ１０５）、ステージ毎に、設備及びその状態を定義する（ステップＳ１０６）。本実施形態では、ＴＤステージでの設備及びその状態として、プラズマ加熱装置（ＯＮ・ＯＦＦ・故障）、バブリング（ＯＮ・ＯＦＦ・故障）を定義している。また、ノズルステージでの設備及びその状態として、ノズル（定常用（不詰）・非定常用・故障（偏詰）・故障（詰））、スライド（定常用・非定常用（広）・故障）を定義している。また、鋳型ステージでの設備及びその状態として、パウダー投入機（定常用・非定常用（別パタン）・故障）、スプリンクラー（定常用・非定常用（強）・故障）、ローラー（定常用・非定常用（引抜速度遅）・故障）を定義している。なお、ここで挙げた設備及びその状態は一例であり、これに限定されるものではない。
【００２５】
次に、ステージ毎に、設備の状態の遷移経路を定義する（ステップＳ１０７）。例えばＴＤステージにおいて、プラズマ加熱装置（ＯＮ・ＯＦＦ・故障）については、プラズマ加熱装置（故障）には必ずプラズマ加熱装置（ＯＦＦ）から移動する等の遷移経路を定義する。
【００２６】
次に、ステージ毎に、設備の状態遷移モデルＭ２を作成する（ステップＳ１０８）。本実施形態では、設備の状態遷移モデルＭ２もペトリネットで作成する。
【００２７】
図５には、ＴＤステージでの設備の状態遷移モデルＴＤ−Ｍ２を示す。プラズマ加熱装置について、ＯＮのプレース、ＯＦＦのプレース及び故障のプレースがトランジションＴ１〜Ｔ３を介して接続する。ＯＦＦのプレースにトークンがある場合、トランジションＴ１が発火可能であり、発火するとトークンが故障のプレースに移動する。また、ＯＦＦのプレースにトークンがある場合、トランジションＴ３が発火可能であり、発火するとトークンがＯＮのプレースに移動する。また、ＯＮのプレースにトークンがある場合、トランジションＴ２が発火可能であり、発火するとトークンがＯＦＦのプレースに移動する。
【００２８】
また、バブリングについて、ＯＮのプレース、ＯＦＦのプレース及び故障のプレースがトランジションＴ５〜Ｔ７を介して接続する。ＯＦＦのプレースにトークンがある場合、トランジションＴ５が発火可能であり、発火するとトークンが故障のプレースに移動する。また、ＯＦＦのプレースにトークンがある場合、トランジションＴ７が発火可能であり、発火するとトークンがＯＮのプレースに移動する。また、ＯＮのプレースにトークンがある場合、トランジションＴ６が発火可能であり、発火するとトークンがＯＦＦのプレースに移動する。
【００２９】
なお、ここではＴＤステージでの設備の状態遷移モデルＴＤ−Ｍ２について詳述したが、ノズルステージ、鋳型ステージ、及び垂直領域ステージについても、それぞれ設備の状態遷移モデルＮＯＺ−Ｍ２、ＭＤ−Ｍ２、Ｖ−Ｍ２を作成する。
【００３０】
全ステージについて設備の状態遷移モデルＭ２を作成したならば（ステップＳ１０９）、ステージ毎に、ステージ内での影響関係を定義する（ステップＳ１１０）。表１には、ＴＤステージ内での設備の状態と製造物の属性の状態との影響関係を定義した内容を示す。表１に示すように、プラズマ加熱装置がＯＮであるとき、製造物の属性のうち温度が、温度低の状態であれば温度普に、温度普の状態であれば温度高に遷移することを定義している。また、バブリングがＯＮであるとき、製造物の属性のうち温度が、温度高の状態であれば温度普に、温度普の状態であれば温度低に遷移することを定義している。
【００３１】
【表１】
0005845944.tif 000002
【００３２】
次に、ステップＳ１１０において定義した、設備の状態と製造物の属性の状態との影響関係を状態遷移モデル（製造物の属性の状態遷移モデルＭ１及び設備の状態遷移モデルＭ２）に組み込む（ステップＳ１１１）。図５に示すように、プラズマ加熱装置の状態遷移モデルにおいてＯＮのプレースにトークンがあるとき、条件アークを介してトランジションＴ４が発火する。その結果、温度の状態遷移モデルにおいて温度低のプレースにトークンがある場合、トランジションＴ４と許可同期アークで結ばれたトランジションＴ１１が発火して、トークンが温度普のプレースに移動する。また、温度普のプレースにトークンがある場合、トランジションＴ４と許可同期アークで結ばれたトランジションＴ９が発火して、トークンが温度高のプレースに移動する。また、バブリングの状態遷移モデルにおいてＯＮのプレースにトークンがあるとき、条件アークを介してトランジションＴ８が発火する。その結果、温度の状態遷移モデルにおいて温度高のプレースにトークンがある場合、トランジションＴ８と許可同期アークで結ばれたトランジションＴ１０が発火して、トークンが温度普のプレースに移動する。また、温度普のプレースにトークンがある場合、トランジションＴ８と許可同期アークで結ばれたトランジションＴ１２が発火して、トークンが温度高のプレースに移動する。なお、許可同期アークとは、始点のトランジションが発火すると終点のトランジションが必ず発火することを表わす。また、条件アークとは、始端プレースにトークンが存在するときに発火可能であることを表わす。
【００３３】
なお、ここではＴＤステージ内での製造物の属性の状態遷移モデルＴＤ−Ｍ１及び設備の状態遷移モデルＴＤ−Ｍ２について詳述したが、ノズルステージ、鋳型ステージ、及び垂直領域ステージについても、それぞれステージ内での設備の状態と製造物の属性の状態との影響関係を状態遷移モデル（製造物の属性の状態遷移モデルＭ１及び設備の状態遷移モデルＭ２）に組み込む。
【００３４】
また、ここではステージ内での設備の状態と製造物の属性の状態との影響関係について説明したが、例えばステージ内での製造物の属性間の影響関係を定義するようにしてもよい。例えば鋳型ステージ内で温度均一性はシェル均一性に影響するので（温度均一であればシェル均一、温度不均一であればシェル不均一）、その影響関係を状態遷移モデル（製造物の属性の状態遷移モデルＭ１）に組み込むようにしてもよい。
【００３５】
全ステージについてステージ内での影響関係を取り込んだならば（ステップＳ１１２）、ステージ間での製造物の属性間の影響関係を定義する（ステップＳ１１３）。ステージ間での製造物の属性間の影響関係とは、略同時刻に別ステージに存在する製造物から受ける影響である。例えば垂直領域でバルジングが生じると、略同時刻に、その上流側の鋳型で湯面振動が生じ、湯面レベルに影響を与えることがわかっている。したがって、図３の破線の矢印３１に示すように、垂直領域ステージでのバルジング有無は、その上流側の鋳型ステージでの湯面レベルに影響を与えると定義している。すなわち、垂直領域ステージでのバルジングが有りの場合、鋳型ステージでの湯面レベルが適切であれば低に遷移することを定義している。また、垂直領域ステージでのバルジングが無しの場合、鋳型ステージでの湯面レベルが低であれば適切に遷移することを定義している。
【００３６】
次に、ステップＳ１１３において定義した、ステージ間での製造物の属性間の影響関係（図３の矢印３１）を状態遷移モデル（製造物の属性の状態遷移モデルＭ１及び設備の状態遷移モデルＭ２）に組み込む（ステップＳ１１４）。図６には、鋳型ステージでの製造物の属性の状態遷移モデルＭＤ−Ｍ１の一部（温度及び湯面レベル）と、垂直領域ステージでの製造物の属性の状態遷移モデルＶ−Ｍ１の一部（バルジング）を示す。これら状態遷移モデルＭ１はステップＳ１０４において作成されたものである。鋳型ステージでの温度については、温度低のプレースにトークンがある場合、トランジションＴ３０１が発火可能であり、発火するとトークンが温度高のプレースに移動する。また、温度高のプレースにトークンがある場合、トランジションＴ３０２が発火可能であり、発火するとトークンが温度低のプレースに移動する。なお、温度の状態として（高・普・低）を定義していると説明したが、図６では説明を簡単にするために（高・低）の状態だけを図示する。鋳型ステージでの湯面レベルについては、適切のプレースにトークンがある場合、トランジションＴ３０３が発火可能であり、発火するとトークンが低のプレースに移動する。また、低のプレースにトークンがある場合、トランジションＴ３０４が発火可能であり、発火するとトークンが適切のプレースに移動する。垂直領域ステージでのバルジングについては、バルジング無しのプレースにトークンがある場合、トランジションＴ４０１が発火可能であり、発火するとトークンがバルジング有りのプレースに移動する。また、有りのプレースにトークンがある場合、トランジションＴ４０２が発火可能であり、発火するとトークンが無しのプレースに移動する。
【００３７】
そして、図６に示すように、垂直領域ステージでのバルジングの状態遷移モデルにおいて有りのプレースにトークンがあるとき、条件アークを介してトランジションＴ５０１が発火する。その結果、鋳型ステージでの湯面レベルの状態遷移モデルにおいて適切のプレースにトークンがある場合、トランジションＴ５０１と許可同期アークで結ばれたトランジションＴ３０３が発火して、トークンが低のプレースに移動する。また、垂直領域ステージでのバルジングの状態遷移モデルにおいて無しのプレースにトークンがあるとき、条件アークを介してトランジションＴ５０２が発火する。その結果、鋳型ステージでの湯面レベルの状態遷移モデルにおいて低のプレースにトークンがある場合、トランジションＴ５０１と許可同期アークで結ばれたトランジションＴ３０４が発火して、トークンが適切のプレースに移動する。
【００３８】
なお、本実施形態では、下流側のステージでの製造物の属性が上流側のステージでの製造物の属性に影響を与える例を説明したが、その逆、すなわち上流側のステージでの製造物の属性が下流側のステージでの製造物の属性に影響を与えることもありうる。
【００３９】
次に、上流側のステージでの製造物の属性の状態が、製造物の移動に伴って下流側のステージに受け渡される関係を定義する（ステップＳ１１５）。図３の実線の矢印３２に示すように、例えばＴＤステージでの温度は、その下流側のノズルステージでの温度に受け渡されると定義している。すなわち、ＴＤステージでの温度が高くなれば、その下流側のノズルステージでの温度も高くなり、ＴＤステージでの温度が普通になれば、その下流側のノズルステージでの温度も普通になり、ＴＤステージでの温度が低くなれば、その下流側のノズルステージでの温度も低くなる。以下同様に、ノズルステージでの温度は鋳型ステージでの温度に受け渡され、鋳型ステージでの温度は垂直領域ステージでの温度に受け渡されると定義している。
【００４０】
また、ノズルステージでの流量は、その下流側の鋳型ステージでの湯面レベルに受け渡されると定義している。すなわち、ノズルステージでの流量が適切になれば、その下流側の鋳型ステージでの湯面レベルも適切になり、ノズルステージでの流量が少なくなれば、その下流側の鋳型ステージでの湯面レベルも低くなる。
【００４１】
また、ノズルステージでの流れは、その下流側の鋳型ステージでの温度均一性に受け渡されると定義している。すなわち、ノズルステージでの流れが整流になれば、その下流側の鋳型ステージでの温度均一性も均一になり、ノズルステージでの流れが偏流になれば、その下流側の鋳型ステージでの温度均一性も不均一になる。
【００４２】
次に、ステップＳ１１５において定義した、上流側のステージでの製造物の属性の状態が、製造物の移動に伴って下流側のステージに受け渡される関係（図３の矢印３２）を状態遷移モデル（属性の状態遷移モデルＭ１及び設備の状態遷移モデルＭ２）に組み込む（ステップＳ１１６）。図７には、ノズルステージでの製造物の属性の状態遷移モデルＮＯＺ−Ｍ１の一部（流量）と、鋳型ステージでの製造物の属性の状態遷移モデルＭＤ−Ｍ１の一部（湯面レベル）を示す。これら状態遷移モデルＭ１はステップＳ１０４において作成されたものである。ノズルステージでの流量については、適切のプレースにトークンがある場合、トランジションＴ２０１が発火可能であり、発火するとトークンが少のプレースに移動する。また、少のプレースにトークンがある場合、トランジションＴ２０２が発火可能であり、発火するとトークンが適切のプレースに移動する。鋳型ステージでの湯面レベルについては、図６で説明したとおりである。
【００４３】
そして、図７に示すように、ノズルステージでの流量の状態遷移モデルの適切のプレースと、その下流側の鋳型ステージでの湯面レベルの状態遷移モデルの適切のプレースとがトランジションＴ６０１を介して接続し、また、ノズルステージでの流量の状態遷移モデルの少のプレースと、その下流側の鋳型ステージでの湯面レベルの状態遷移モデルの低のプレースとがトランジションＴ６０２を介して接続する。以下、ステップＳ１１６において定義するトランジションを受け渡しトランジションと称する。ノズルステージでの流量の状態遷移モデルの適切のプレースにトークンがある場合、受け渡しトランジション６０１が発火可能であり、発火するとその下流側の鋳型ステージでの湯面レベルの状態遷移モデルの適切のプレースにトークンが移動する。また、ノズルステージでの流量の状態遷移モデルの少のプレースにトークンがある場合、受け渡しトランジション６０２が発火可能であり、発火するとその下流側の鋳型ステージでの湯面レベルの状態遷移モデルの低のプレースにトークンが移動する。
【００４４】
なお、更にその下流のステージにつながるときは、対応するプレースが受け渡しトランジションを介して接続する。図７の例では、湯面レベルはその下流側のステージにつながらないので、出側にプレースが接続しない受け渡しトランジションＴ６０３、Ｔ６０４を定義しておく。
【００４５】
ステップＳ１１６において定義する受け渡しトランジション（図７の例では受け渡しトランジションＴ６０１〜Ｔ６０４）は、単独で発火することはなく、いずれかのステージで製造物の属性の状態が変化したとき、全てが同時に発火する。例えば図７に示す状態（ノズルステージでの流量の状態遷移モデルの適切のプレースにトークンがあり、鋳型ステージでの湯面レベルの状態遷移モデルの適切のプレースにトークンがある状態）で、ノズルステージの流量が少なくなると（流量の少のプレースにトークンが移動すると）、全ての受け渡しトランジションが同時に発火する。その結果、受け渡しトランジションＴ６０２の発火により流量の少のプレースのトークンが湯面レベルの低のプレースに移動するとともに、受け渡しトランジションＴ６０３の発火により湯面レベルの適切のプレースのトークンが消えることになる。再度、いずれかのステージで製造物の属性が変化したとき、全ての受け渡しトランジションが同時に発火する。
【００４６】
また、例えば図７に示す状態で、いずれかのステージの製造物の温度が変化すると、全ての受け渡しトランジションが同時に発火する。その結果、受け渡しトランジションＴ６０１の発火により流量の適切のプレースのトークンが湯面レベルの適切のプレースに移動するとともに、受け渡しトランジションＴ６０３の発火により湯面レベルの適切のプレースのトークンが消えることになるが、この配置では、ノズルステージの流量や鋳型ステージの湯面レベルの状態は温度の変化には影響を受けず、それまでの状態と変わることはない。
【００４７】
以上述べた離散モデリングは、離散モデリングのアルゴリズムを実行可能としたコンピュータ装置を利用して行うことができる。すなわち、オペレータが、ステージの分け方、ステージ毎の製造物の属性及びその状態、製造物の属性の状態の遷移経路を介して入力すると（ステップＳ１０１〜ステップＳ１０３）、コンピュータ装置が自動的にステージ毎の製造物の属性の状態遷移モデルを作成する（ステップＳ１０４）。同様に、オペレータが、ステージ毎の設備及びその状態、設備の状態の遷移経路を入力すると（ステップＳ１０６〜ステップＳ１０７）、コンピュータ装置が自動的にステージ毎の設備の状態遷移モデルを作成する（ステップＳ１０８）。また、オペレータが、ステージ内での影響関係を入力すると（ステップＳ１１０）、コンピュータ装置が自動的にその影響関係を状態遷移モデルに組み込む（ステップＳ１１１）。また、オペレータが、ステージ間での製造物の属性間の影響関係を入力すると（ステップＳ１１３）、コンピュータ装置が自動的にその影響関係を状態遷移モデルに組み込む（ステップＳ１１４）。また、オペレータが、上流側のステージでの製造物の属性の状態が、製造物の移動に伴って下流側のステージに受け渡される関係を入力すると（ステップＳ１１５）、コンピュータ装置が自動的にその関係を状態遷移モデルに組み込む（ステップＳ１１６）。
【００４８】
なお、本実施形態ではペトリネットを説明したが、離散事象システムをモデル化するものであればそれに限定されるものではなく、その他のグラフモデル、例えば有向グラフや無向グラフに本発明を適用することも可能である。例えば有向グラフでは、ペトリネットモデルにおけるプレースは点で表現され、トランジションは矢印付きの線で表現される。矢印付きの線は、点から点へ製品すなわちトークンを移動させる移動操作端であり、移動路の役目をする。また、矢印は、線から点、或いは点から線へトークンが移動する方向を示すものである。このような特徴を有するグラフモデルに本発明を適用する場合も、一連の動作は上述したペトリネットモデルにおける動作と同様であり、詳細な説明は省略する。
【００４９】
［離散モデリングにより作成した離散モデルを利用した操業支援１］
図８は、操業支援１を行うのに好適な連続鋳造プロセスの操業支援装置の構成例を示す図である。１は離散モデリング部であり、上述したように連続鋳造プロセスを製造物の流れ方向に複数のステージに分け、ステージ毎に製造物の属性の状態遷移モデルと設備の状態遷移モデルとを作成し、各ステージ内での影響関係を定義して作成した離散モデルを作成し、格納する。また、必要に応じて、同時刻に別ステージに存在する製造物から受ける影響である、ステージ間での製造物の属性間の影響関係（図３の矢印３１）、上流側のステージでの前記製造物の属性の状態が、前記製造物の移動に伴って下流側のステージに受け渡される関係（図３の矢印３２）を定義する。
【００５０】
２は可到達木作成部であり、離散モデリング部１で作成した離散モデルを用いて、ステージ毎に初期状態を設定し、当該初期状態から到達可能な状態を示す各ステージの状態遷移図である可到達木を作成する。３は全体可到達木作成部であり、可到達木作成部２により作成した全ステージの可到達木を用いて、連続鋳造プロセス全体の状態遷移図である可到達木を作成する。
【００５１】
４はリスクマトリクス作成部であり、全体可到達木作成部３により作成した連続鋳造プロセス全体の可到達木を用いて、発生確度と危険度との関係を表わすリスクアセスメントマトリクス（本願では単にリスクマトリクスと称する）を作成する。５は入力装置であり、例えば離散モデリング部１が離散モデルを作成する際の各種定義を入力、設定したり、可到達木作成部２が可到達木を作成する際の初期状態を入力、設定したりする。６は出力装置であり、例えばリスクマトリクス作成部４により作成したリスクマトリクスを画面表示する表示装置が該当する。
【００５２】
なお、図８では１台の装置として図示したが、例えば離散モデリングは別の装置で実行し、操業支援装置では作成済みの離散モデルを格納している等、複数台の装置が協働して図８に示す機能構成が実現されるようにしてもよい。
【００５３】
図９に、操業支援装置による操業支援１の手順を示す。まず、上述した離散モデリングにより離散モデルを作成し、格納する（ステップＳ２０１）。本例の場合、近い将来に起こり得るリスクを、起こりうる可能性の低いリスクも含めて詳細に提示することを目的としているため、遠い将来すなわち製造物の移動に伴って発生するリスクは考えない。つまり、図２のステップＳ１０１〜Ｓ１１４にて離散モデルを作成し、図２のステップＳ１１５、Ｓ１１６は行わず、すなわち上流側のステージでの製造物の属性の状態が、製造物の移動に伴って下流側のステージに受け渡される関係（図３の矢印３２）を組み込まないで離散モデルを作成する。
【００５４】
次に、ステップＳ２０１において作成した離散モデルを用いて、ステージ毎に初期状態、例えば各ステージの現在の状態を設定し、その初期状態から遷移可能（到達可能）な可到達木を作成する（ステップＳ２０２）。可到達木は、図１０に示すように、「状態」（状態を記述した楕円）を、「遷移（オペレーションの内容に相当する）」（ドットを付した楕円）を介して接続した構成される。図１０には、ＴＤステージの状態遷移モデル（図５を参照）から作成した可到達木を示す。ここでは、初期状態が「温度低、粘性高、プラズマ加熱装置ＯＦＦ、バブリング故障」であり、その次に到達できる「状態」は、トランジションＴ１が発火したときの「温度低、粘性高、プラズマ加熱装置故障、バブリング故障」か、トランジションＴ３が発火（それに伴ってトランジションＴ４、Ｔ１１も発火）したときの「温度普、粘性高、プラズマ加熱装置ＯＮ、バブリング故障」である。このようにして、次に到達できる「状態」を順次求めていき、可到達木を作成する。
【００５５】
なお、ここではＴＤステージでの可到達木について詳述したが、ノズルステージ、鋳型ステージ、及び垂直領域ステージについても、それぞれ初期状態を設定し、可到達木を作成する。図１１には、鋳型ステージでの製造物の温度及び湯面レベルの状態遷移モデル（図６を参照）から作成した可到達木と、垂直領域ステージでの製造物のバルジングの状態遷移モデル（図６を参照）から作成した可到達木とを示す。鋳型ステージにおいて、初期状態が「温度低、湯面レベル適切」である場合、その次に到達できる「状態」は、トランジションＴ３０１が発火したときの「温度高、湯面レベル適切」か、トランジションＴ３０３が発火したときの「温度低、湯面レベル低」である。また、垂直領域ステージにおいて、初期状態が「バルジング無し」である場合、その次に到達できる「状態」は、トランジションＴ４０１が発火したときの「バルジング有り」である。このようにして、次に到達できる「状態」を順次求めていき、可到達木を作成する。
【００５６】
ところで、図１０のＴＤステージの可到達木では、一方向のみに状態が遷移する（元の状態に戻れない）状態遷移図となっているのに対して、図１１の鋳型ステージや垂直領域ステージの可到達木では、自由に元に状態に戻れる状態遷移図となっている。これは、ＴＤステージでは「バブリング故障」を初期状態としているので、トランジションＴ１１の発火によって状態が遷移してもトランジションＴ１２が発火できず、一方向のみに遷移する状態遷移図となったものである。このように、可到達木は初期状態の与え方によって異なるものとなる。
【００５７】
次に、ステップＳ２０２において作成した全ステージの可到達木を用いて、連続鋳造プロセス全体の可到達木（一つの可到達木）を作成する（ステップＳ２０３）。
【００５８】
ここで、ステージ間によっては、ステージ間での製造物の属性間の影響関係（図３の矢印３１）を定義している場合と、定義していない場合とがある。まず、図１１を参照して、ステージ間での製造物の属性間の影響関係を定義している場合の、両ステージの可到達木の作成の仕方について説明する。図１１は、鋳型ステージでの製造物の温度及び湯面レベルの状態遷移モデルから作成した可到達木と、垂直領域ステージでの製造物のバルジングの状態遷移モデルから作成した可到達木とを用いて、両ステージの可到達木を作成する様子を示す。
【００５９】
図６を参照して既述したが、垂直領域ステージでのバルジングの状態遷移モデルにおいて有りのプレースにトークンがあるとき、条件アークを介してトランジションＴ５０１が発火する。その結果、鋳型ステージでの湯面レベルの状態遷移モデルにおいて適切のプレースにトークンがある場合、トランジションＴ５０１と許可同期アークで結ばれたトランジションＴ３０３が発火して、トークンが低のプレースに移動する。また、垂直領域ステージでのバルジングの状態遷移モデルにおいて無しのプレースにトークンがあるとき、条件アークを介してトランジションＴ５０２が発火する。その結果、鋳型ステージでの湯面レベルの状態遷移モデルにおいて低のプレースにトークンがある場合、トランジションＴ５０１と許可同期アークで結ばれたトランジションＴ３０４が発火して、トークンが適切のプレースに移動する。
【００６０】
この場合、図１１に示すように、鋳型ステージ及び垂直領域ステージの「状態」をプレース、「遷移」をトランジションに見立てるとともに、ステージ間をつなげるトランジションＴ５０１、Ｔ５０２を、トランジションＴ７００〜Ｔ７０３に見立てた「遷移」と、プレースＰ７０１、Ｐ７０２で表わす。バルジング「有り」のときのみ湯面レベルが「適切」から「低」に遷移し、バルジング「無し」のときのみ湯面レベルが「低」から「適切」に遷移する『切り替え』をモデル化している。この例では存在しないが、例えばバルジングが「有り」から「無し」以外の他の状態（例えば「やや有り」等）に遷移しただけでは、湯面レベルは「低」から「適切」には遷移しない。湯面レベル「適切」に遷移させるためには、必ずバルジングの状態が「無し」に遷移しなければならない。このようなことを表現するために図１１のようなモデル化を行う。トランジションＴ５０１はバルジング有りにトークンが存在するときは常に発火するトランジションであり、トランジションＴ５０２はバルジング無しにトークンが存在するときは常に発火するトランジションである。プレースＰ７０１はトランジションＴ７００を発火するための条件となるプレース、プレースＰ７０２はトランジションＴ７０１を発火するための条件となるプレースである。また、トランジションＴ７００はプレースＰ７０１にトークンが存在するときに常に発火するトランジション、トランジションＴ７０１はプレースＰ７０２にトークンが存在するときに常に発火するトランジションである。また、プレースＰ７０１にトークンがあるとき、条件アークを介してトランジションＴ７０２が発火して、その結果、トランジションＴ７０２と許可同期アークで結ばれたトランジションＴ３０４が発火する。また、プレースＰ７０２にトークンがあるとき、条件アークを介してトランジションＴ７０３が発火して、その結果、トランジションＴ７０３と許可同期アークで結ばれたトランジションＴ３０３が発火する。
【００６１】
これにより、図１２に示すように、初期状態を「温度低、湯面レベル適切、バルジング無し」とした両ステージの可到達木が作成される。
【００６２】
次に、図１３、図１４を参照して、ステージ間での製造物の属性間の影響関係を定義していない場合の、両ステージの可到達木の作成の仕方について説明する。ここでは、対比の意味も含めて、図１３に示すように、鋳型ステージと垂直領域ステージとの間で製造物の属性間の影響関係を定義していないものとして、両ステージの可到達木を作成する場合を説明する。この場合、鋳型ステージの「状態」と垂直領域ステージの「状態」との全組み合わせをそれぞれ「状態」として可到達木を作成する。すなわち、図１４の例の場合、鋳型ステージの４つの「状態」と垂直領域ステージの２つの「状態」の全組み合わせである８つの「状態」を有する可到達木が作成される。これにより、図１４に示すように、初期状態を「温度低、湯面レベル適切、バルジング無し」とした両ステージの可到達木が作成される。
【００６３】
図１２に示したようにステージ間での製造物の属性間の影響関係を定義している場合、鋳型ステージの「状態」と垂直領域ステージの「状態」との全組み合わせのうち、遷移可能な「状態」だけが選ばれることになる。すなわち、「状態」の組み合わせに制限がかかり、図１４に示したようにステージ間での製造物の属性間の影響関係を定義しない場合に比べて、「状態」の数は減ることになる。
【００６４】
以上のアルゴリズムに従って、全ステージの可到達木を用いて、連続鋳造プロセス全体の可到達木を作成する。この一つの可到達木は、連続鋳造プロセス全体の製造物と装置が、ある初期状態から遷移しうる状態の集合を意味する。
【００６５】
次に、ステップＳ２０３において作成した連続鋳造プロセス全体の可到達木を用いて、発生確度と危険度との関係を表わすリスクマトリクスを作成する（ステップＳ２０４）。図１５に、リスクマトリクスの例を示す。なお、図示例では、説明の簡略化のため、鋳型ステージと垂直領域ステージの可到達木を用いてリスクマトリクスを作成した例を示すが、実際は、連続鋳造プロセス全体の可到達木を用いてリスクマトリクスを作成する。
【００６６】
リスクマトリクスの横軸は発生確度を、縦軸は危険度を表わし、連続鋳造プロセス全体の可到達木（図１５の例は鋳型ステージと垂直領域ステージの可到達木）の「状態」を並び替えたものである。横軸方向では、まず初期状態が位置し、次に初期状態から到達しうる「状態」が位置する。初期状態から各「状態」まで到達するのに必要な最小の遷移の実行回数を「初期状態」から各「状態」までの「距離」と定義し、この「距離」が小さいほど発生確度が低くなるように位置する。なお、ここでは初期状態からの遷移の実行回数を「距離」と定義したが、各「遷移」が実行される確率（発火する確率）等を考慮して初期状態からの各「状態」までの距離を規定するようにしてもよい。
【００６７】
図１２の初期状態と各「状態」を繋ぐ遷移のうち、最小の距離の遷移以外の遷移を除去し、初期状態からの「距離」が小さいほど「状態」を発生確度が低くなるように位置する。
【００６８】
また、製造物の属性毎に予め危険度が定められており、その組み合わせに応じて危険度が定められる。ここでは、「温度高、湯面レベル適切、バルジング無し」という「状態」は操業上最も安全な状態であるのに対して、「温度低、湯面レベル低、バルジング有り」という「状態」は操業上最も危険度の高い状態となる。
【００６９】
このようなリスクマトリクスを画面表示して提示することにより、トラブル発生の推定等、操業者の意思決定において有効な情報を提示することができる。リスクマトリクスにマップされた可到達木においては、「発生確度が高く、かつ、危険度も低い状態」や「発生確度が低く、かつ、危険度も低い状態」等が示され、任意の「状態」に至るまでの経路が網羅的に可視化されるので、トラブル要因を俯瞰することが容易となっている。例えばリスクマトリクスの左下に位置する「状態」ほど、「発生確度が高く、かつ、危険度も高い状態」であり、そこに至る経路と合わせて注意すべきと認識することができる。逆にいえば、初期状態「温度低、湯面レベル適切、バルジング無し」から危険度が低くなる「遷移」が実施すべきオペレーションを意味している。
【００７０】
リスクマトリクスを画面表示するに際して、例えば最も「発生確度が高く、かつ、危険度も高い状態」を目立つように表示するようにしてもよい。また、図１５の囲み１５０１に示すように、危険な状態に至るまでの経路（シナリオ）を囲んで表示するようにしてもよい。或いは、逆に安全な状態に至るまでの経路（シナリオ）を囲んで表示するようにしてもよい。
【００７１】
なお、上述したように「状態」の数は多くなるものの、ステージ間での製造物の属性間の影響関係（図３の矢印３１）を定義しなくても、連続鋳造プロセス全体の可到達木を作成することができる。すなわち、図２のステップＳ１０１〜Ｓ１１２だけで作成した離散モデルに基づいて、各ステージの可到達木を作成し、それらを用いて連続鋳造プロセス全体の可到達木を作成して、リスクマトリクスを作成するようにしてもよい。参考として、図１６には、ステージ間での製造物の属性間の影響関係を定義していない場合の、鋳型ステージと垂直領域ステージの可到達木を用いてリスクマトリクスを作成した例を示す。
【００７２】
ここまでは、図１０に示すように、製造物と設備を分けずに可到達木を作成し、製造物の属性の状態と設備の状態の両方を「状態」として表わすことを説明した。しかしながら、危険或いは安全な状態に至るまでの経路（シナリオ）を提示するという目的を満たすには製造物の属性の状態遷移の情報が必要であり、製造物の属性の状態が必要である一方、設備の状態は「製造物の属性の状態遷移の原因」として必要とされる。可到達木では、状態に関する情報は「状態」が、状態遷移に関する情報は「遷移」が持つのが一般的であり、設備の状態は「遷移」に持たせるべきである。すなわち、製造物の属性の状態遷移モデルＭ１を用いて可到達木を計算し、可到達木における「状態」が持つ情報を製造物の属性の状態とするのが望ましい。
【００７３】
そこで、製造物の属性の状態遷移モデルＭ１を用いて可到達木を計算し、可到達木における「状態」が持つ情報を製造物の属性の状態とする。そのために、各ステージにおいて製造物の属性の状態遷移モデルＭ１と設備の状態遷移モデルＭ２とを分離して、製造物の属性の状態遷移モデルＭ１からステージ毎の製造物の属性の可到達木を作成する。次にそれぞれのステージの可到達木をつなぎ、連続鋳造プロセス全体の可到達木を作成する。なお、可到達木の作成手法そのものは、図９のステップＳ２０２、Ｓ２０３で説明したものと同様である。
【００７４】
一方で、分離した設備の状態遷移モデルＭ２を用いて、この製造物の属性の状態遷移モデルＭ１から作成した連続鋳造プロセス全体の可到達木において、製造物の属性の状態遷移の原因と設備との対応付けする必要がある。この連続鋳造プロセス全体の可到達木において「遷移」にその情報を持たせる必要があるため、図１７に示すように、連続鋳造プロセス全体の可到達木の「遷移」と設備の状態遷移モデルＭ２とをネットワークでつなぐ。これにより、作成した可到達木から、製造物の属性の状態遷移の情報を与えることができるようになる。
【００７５】
［離散モデリングにより作成した離散モデルを利用した操業支援２］
上述した操業支援１では、初期状態から到達可能な状態遷移を示す可到達木を網羅的な計算により作成し、リスクマトリクスとして提示する例を説明した。しかしながら、実際には、製造物の属性及びその状態の数が増えると、網羅的な計算により計算量が膨大なものになるだけでなく、操業者にとって必要でない、トラブルに関係のないステージ及び製造物の属性の情報も含まれる。したがって、計算量を抑えながら、操業者にとって必要な情報だけを抽出して提示できるようにすることが望まれる。
【００７６】
そこで、操業支援２では、製造物の属性の状態の組み合わせの中でトラブルに直結する、すなわち製造プロセスのトラブル発生の恐れが高い状態であるものとして定義される危機状態という認識を導入する。そして、初期状態から危機状態に至るまでの経路を表わす状態遷移図、具体的には危機状態に至るまでに遷移しうる「状態」を表わす可到達木を作成することによって、その危機状態で表わされるトラブルに至るまでの経路（シナリオ）を提示するようにした。
【００７７】
危機状態は、ステージ及び製造物の属性の状態を特定して定義される。すなわち、１つの危機状態を設定するためには、どのステージのどの製造物の属性の状態に異常がみられるかを定義する。例えばＴＤステージでの粘性高、ノズルステージでの温度低及び流量少という状態の組み合わせを「ノズル詰まり１」として定義する。また、同じノズル詰まりでも別の状態の組み合わせによって引き起こされることも考えられ、ＴＤステージでの温度低、ノズルステージでの温度低及び偏流という状態の組み合わせを「ノズル詰まり２」として定義する。表２に、危機状態毎に特定されたステージ及び製造物の属性の状態の組み合わせの例を示す。危機状態は、現場の作業マニュアルにおいて操業停止基準を参考に設定したり、熟練の操業者が感覚的に持っているトラブル時の鋼の状態の組み合わせを抽出して設定したり、トラブル事例集からトラブル時の鋼の状態の組み合わせを抽出して設定したりすればよい。
【００７８】
【表２】
0005845944.tif 000003
【００７９】
このような危機状態という概念を導入することによって、ある危機状態について考える際に、考慮するステージを限定することができる。例えばノズル詰まり１、２では、ＴＤステージとノズルステージという２つのステージに限定することができる。
また、ある危機状態について考える際に、考慮する製造物の属性も限定することができる。例えばノズル詰まり１では、ＴＤステージでの粘性、ノズルステージでの温度及び流量という３つの属性に限定することができる。
これら２つの特徴により、可到達木の計算量が軽減されるとともに、危機状態に至るまでの経路において、その危機状態で表わされるトラブルに関係のないステージ及び製造物の属性の情報が含まれなくなるというメリットが得られる。
【００８０】
（初期状態から危機状態に至るまでの経路の提示）
まず、初期状態である現在の状態から危機状態に至るまでの経路を考える。ある危機状態が指定された場合、図１８に示すように、その危機状態により特定されるステージ及び製造物の属性に限定したかたちで可到達木を作成する。これは現在の状態から危機状態に至るまでにどのような「状態」を経由するかを示しており、現在の状態から危機状態に至るまでの経路ということができる。この可到達木は、操業支援１で述べたように網羅的な計算により作成したものと異なり、危機状態に直接的に関係する製造物の属性の情報だけを抽出して提示する。
【００８１】
このようにして作成した危機状態に至るまでの経路を表わす可到達木において、操業者が各製造物の属性の状態の起こりやすさ、及び危険度を一目でわかるようにするために、図１９に示すように、操業支援１で説明したのと同様、発生確度と危険度との関係を表わすリスクマトリクスを作成する。このリスクマトリクスにおいて、現在の状態から下、すなわち危険度が高い方向に状態遷移が起こる場合、それは現在の状態からより危機状態に近づくことになり、そのトラブルが起こる可能性が高まっていると理解することができる。一方で、現在の状態から上、すなわち危険度が低い方向に状態遷移が起こる場合、それは現在の状態に比べて危機状態から遠ざかることになり、そのトラブルが起こる可能性が低く安全な状態になると理解することができる。また、現在の状態から右に行くほど、必要な状態遷移の回数が増えることになり、その製造物の属性の状態には至りにくくなると考えられる。
【００８２】
（一の危機状態に至るまでの経路において実施するオペレーションが、他の危機状態に至るまでの経路に対して影響を与えるかどうかの提示）
次に、一の危機状態に至るまでの経路において実施するオペレーションが、他の危機状態に至るまでの経路に対してどのような影響を与えるかを考える。一つだけの危機状態を想定し、それを回避するための対策を講じることは比較的容易であるが、現実は多種多様な危機状態を想定し、ある危機状態を回避するために行ったオペレーションが別の危機状態を誘発するかを考慮することが極めて重要である。
【００８３】
そこで、図２０に示すように、一の危機状態（図示例では「ノズル詰まり１」）に至るまでの経路を表わす可到達木のリスクマトリクスと、他の危機状態（図示例では「ブレークアウト２」）に至るまでの経路を表わす可到達木のリスクマトリクスとを作成する。
【００８４】
そして、これら２つの危機状態に至るまでの経路に関して、一の危機状態を回避するために実施するオペレーションが、他の危機状態に至る経路に対して与える影響を考える。現在の状況として、ノズルステージでの温度が低くてノズル詰まりの危険があるため、その温度を高くするプラズマ加熱というオペレーションを実施することを検討しているとする。プラズマ加熱により、図２１に示すように、危機状態「ノズル詰まり１」に至るまでの経路では、ノズルステージでの温度が高くなることでノズル詰まりが起こりにくくなる、つまり危機状態からより遠い、危険度の低い「状態」に遷移する。
【００８５】
この場合に、ノズルステージでの温度が高くなることで、危機状態「ブレークアウト２」に至るまでの経路にはどのような影響を与えるかを考えるために、連続鋳造プロセスの離散モデルに基づいて、「ノズル詰まり１」で考慮している製造物の属性の状態と、「ブレークアウト２」で考慮している製造物の属性の状態との関係を考える。図２２に示すように、連続鋳造プロセスの離散モデルにおいて、ノズルステージでの温度（高・普・低）が、垂直領域ステージでのシェル厚（厚・普・薄）がそれぞれ定義されており、ノズルステージでの温度が、製造物の移動に伴って下流側の垂直領域ステージでのシェル厚に受け渡されると定義されているとする。この場合、ノズルステージでの温度が高くなり、その鋼が下流の垂直領域ステージに流れることで、垂直領域ステージでのシェル厚が薄くなるという影響を受けるという関係がある。
【００８６】
そこで、危機状態「ブレークアウト２」に至るまでの経路において、プラズマ加熱の影響を受けて、垂直領域ステージでのシェル厚が薄くなった「状態」はどこに位置するのかを考える。図２３は、危機状態「ブレークアウト２」に至るまでの経路を表わす可到達木のリスクマトリクスを示す模式図であり、垂直領域ステージでのシェル厚が薄くなった「状態」を丸で囲んで示す。現在の状態は特に異常な製造物の属性の状態のない安定状態であったため、図２３に丸で囲んで示すように、プラズマ加熱の影響を受けて、現在の状態からより危機状態に近い「状態」に遷移することがわかる。なお、プラズマ加熱の影響を受ける「状態」が複数あるのは、プラズマ加熱の影響を受けて垂直領域ステージでのシェル厚は薄くなるが、他の２つの製造物の属性（鋳型ステージでの湯面レベル、垂直領域ステージでのバルジング）は影響を受けずに任意の状態を取るためである。
【００８７】
操業者は、これらプラズマ加熱の影響を受ける「状態」が危機状態にどれだけ近いかを見ることで、プラズマ加熱というオペレーションによってブレークアウトというトラブルがどれだけ起こりやすくなるかを把握することができる。これらプラズマ加熱の影響を受ける「状態」が危機状態に近いならば、プラズマ加熱によってノズル詰まりは回避できるが、ブレークアウトを誘発する可能性が高まるため、そのオペレーションは安易にすべきではないといえる。一方で、これらプラズマ加熱の影響を受ける「状態」が安定状態である初期状態に近いままであれば、プラズマ加熱によってノズル詰まりを回避でき、しかもブレークアウトの誘発の可能性も高まらないため、そのオペレーションは推奨されるということができる。
【００８８】
また、これらプラズマ加熱の影響を受ける「状態」が示す製造物の属性の状態を比較することで、プラズマ加熱というオペレーションを実施する際にブレークアウトを誘発しないようにするために着目すべき製造物の属性を抽出することができる。例えば、危機状態に特に近い「状態」には「鋳型ステージでの湯面レベル低」が共通して含まれており、危機状態から比較的遠い「状態」にはそれが含まれていないとする。この鋳型ステージでの湯面レベルという属性は、プラズマ加熱の影響を直接は受けない。すなわち、危機状態「ブレークアウト２」に至るまでの経路では、プラズマ加熱の影響によって垂直領域ステージでのシェル厚が薄くなり、現在の状態から危機状態に近づいた「状態」に遷移することになるが、鋳型ステージでの湯面レベルが低くならないよう注意して操業を行うことで、プラズマ加熱の影響を受けてもそれほど危機状態「ブレークアウト２」に近づかないようにすることができる。
【００８９】
以上述べたように、２つの危機状態により特定される製造物の属性間の関係により、一の危機状態の対策としてオペレーションを実施した際に、他の危機状態に至るまでの経路でどのような状態遷移が起こるかを把握することができる。また、遷移する可能性のある「状態」から共通要素を抽出することで、オペレーションを実施する際に他の危機状態を誘発しないようにするために着目すべき製造物の属性の状態の情報を得ることができる。これらを操業者が理解しやすい形で提示することで、オペレーションの実施に関する操業支援の情報生成をすることができる。
【００９０】
（俯瞰情報の提示）
次に、現在の状態と複数の危機状態に至るまでの経路との関係性を俯瞰することを考える。例えば複数の危機状態１〜４について、各危機状態に至るまでの経路を表わす可到達木を作成する。そして、図２４に示すように、各可到達木において危機状態に至るまでの最短経路をそれぞれ抽出し、列挙する。この場合の初期状態は、各危機状態についての可到達木の初期状態をまとめたものとなる。これにより、現在の状態から最も起こりやすい（距離の短い）危機状態を判断することができる。図２４の例でいえば、危機状態１が現在の状態から最も起こりやすい（距離の短い）危機状態であるといえる。
【００９１】
現在の状態から最も起こりやすい危機状態を判断したならば、その危機状態を回避するためのオペレーションを実施することを検討する。その際に、上述したように２つの危機状態に至るまでの経路間の関係を詳細に見ることで、実施しようとしているオペレーションの影響を受けて起こりやすくなると考えられる危機状態を判断し、当該オペレーションの良否を判定する。
【００９２】
列挙した各危機状態の中から着目する危機状態を選定し、それを回避するために実施することを検討するオペレーションを決定したならば、そのオペレーションによって他の危機状態がどの程度起こりやすくなるのかを俯瞰する。そのために、上述したように、最も起こりやすい危機状態１と、その他の各危機状態２〜４との２つの危機状態で考慮している状態変数の関係性をそれぞれ見ることで、各危機状態について抽出した最短経路における状態遷移のうちオペレーションの影響を受けて起こる可能性があるものを提示する。
【００９３】
例えば図２５に示すように、危機状態１を回避するためのオペレーションを検討しているとする。一方、危機状態２、４では、検討しているオペレーションの影響を受ける状態遷移は含まれていないが、危機状態３では、検討しているオペレーションの影響を受ける状態遷移が２つ含まれている（図中の丸で囲んだ状態遷移）。危機状態３では、現在の状態から最短で４回の状態遷移によって危機状態３に至るが、検討しているオペレーションを実行した際には、２回の状態遷移で危機状態３に至る可能性があることになる。
【００９４】
このように、各危機状態に至るまでの最短経路の中に、オペレーションによって起こる可能性がある状態遷移が多く含まれているほど、オペレーションの影響を強く受けてその危機状態に陥りやすくなることとなる。すなわち、各危機状態に至るまでの最短経路においてオペレーションによって起こる可能性がある状態遷移の数を比較することで、どの危機状態が誘発されやすいかという情報を生成することができる。
【００９５】
（製造物の属性の状態の粒度）
危機状態によって考慮するステージ及び製造物の属性が限定されることは上述したが、製造物の属性の状態の粒度は、危機状態によって異なると考えられる。ここで粒度とは、温度という属性の状態を定義する際に「高」、「普通」、「低」の３段階とするより、更に「非常に高い」、「非常に低い」等の状態を加えて５段階として記述するほうが粒度が細かいとする。例えばノズル詰まりとブレークアウトという２つの危機状態において、温度という属性の状態を考えるとき、ノズル詰まりでは温度の細かな違いがトラブル発生に影響を与えるのに対して、ブレークアウトではそれほど細かく捉える必要はない。すなわち、ノズル詰まりでの温度は粒度を細かくする必要があるのに対して、ブレークアウトでの温度の粒度はもっと粗くてもよいということになる。
【００９６】
そこで、連続鋳造プロセスの離散モデルを最も詳細な粒度で記述しておき、危機状態に至るまでの可到達木を作成する際に、危機状態に応じて必要な粒度に変換するようにしてもよい。例えば各ステージでの温度という属性の状態として「高」、「普通」、「低」の３段階を説明したが、更に「非常に高い」、「非常に低い」等の状態まで細かく分けて記述する。
【００９７】
そして、危機状態に至るまでの経路を表わす可到達木を作成するために、危機状態に応じて特定される製造物の属性を離散モデルから抽出する際に、離散モデルに記述された製造物の属性の状態の数を減らすことで、危機状態毎に設定された粒度に変換する。例えば連続鋳造プロセスの離散モデルでは、温度の状態が「非常に高い」、「高」、「普通」、「低」、「非常に低い」の５段階で記述されているとする。この場合、危機状態に至るまでの経路を表わす可到達木を作成する際に、危機状態「ノズル詰まり１、２」での温度の状態はそのまま５段階とするのに対して、危機状態「ブレークアウト１」での温度の状態は３段階に減らすといったことを行う。図２６に示すように、粒度の小さいものと粒度の大きなものの対応関係の基準は製造物の属性毎に設定しておく。例えば図２６において、「小さい粒度の方の上２つのプレースにトークンが入っている場合は大きな粒度の方の上のプレースにトークンを入れ、小さい粒度の方の下２つのプレースにトークンが入っている場合は大きな粒度の方の下のプレースにトークンを入れる」等の基準を設定しておく。
【００９８】
（連続鋳造プロセスの操業支援装置の構成）
ここまでで、操業支援２の概要を説明した。図２７は、操業支援２を行うのに好適な連続鋳造プロセスの操業支援装置の構成例を示す図である。１１は離散モデリング部であり、上述したように連続鋳造プロセスを製造物の流れ方向に複数のステージに分け、ステージ毎に製造物の属性の状態遷移モデルと設備の状態遷移モデルとを作成し、各ステージ内での影響関係を定義して作成した離散モデルを作成し、格納する。また、必要に応じて、同時刻に別ステージに存在する製造物から受ける影響である、ステージ間での製造物の属性間の影響関係（図３の矢印３１）、上流側のステージでの前記製造物の属性の状態が、前記製造物の移動に伴って下流側のステージに受け渡される関係（図３の矢印３２）を定義する。
【００９９】
１２は状態遷移図作成手段である可到達木作成部であり、離散モデリング部１で作成した離散モデルに基づいて、入力装置１６で入力、指定された危機状態により特定されるステージ及び製造物の属性に限定したかたちで、図１８に示したように、初期状態から当該危機状態に至るまでの経路を表わす状態遷移図である可到達木を作成する。
【０１００】
１３はリスクマトリクス作成部であり、可到達木作成部１２により作成した可到達木を用いて、図１９に示したように、発生確度と危険度との関係を表わすリスクマトリクスを作成する。
【０１０１】
１４は判定部であり、図２０〜図２３に示したように、２つの危機状態に至るまでの経路に関して、一の危機状態を回避するために実施するオペレーションが他の危機状態に至る経路に対して影響を与えるかどうかを判定する。判定部１４は、オペレーションを実施して一の危機状態に至るまでの経路に含まれる製造物の属性の状態が変化することにより、他の危機状態に至るまでの経路に含まれる製造物の属性の状態が変化するかどうかを、離散モデルに基づいて判定する。その結果、他の危機状態に至るまでの経路に含まれる製造物の属性の状態が変化する場合、当該オペレーションが他の危機状態に至るまでの経路に対して影響を与えると判定する。
【０１０２】
１５は俯瞰情報作成部であり、図２４に示したように、複数の危機状態についての可到達木を用いて、初期状態から各危機状態に至るまでの最短経路をそれぞれ抽出し、列挙する。
【０１０３】
１６は入力装置であり、例えば離散モデリング部１１が離散モデルを作成する際の各種定義を入力、設定したり、可到達木作成部１２が可到達木を作成する際の危機状態や初期状態を入力、設定したりする。
【０１０４】
１７は出力装置であり、例えば可到達木作成部１２により作成した可到達木やリスクマトリクス作成部４により作成したリスクマトリクスを画面表示したり、判定部１４での判定結果を画面表示したり、俯瞰情報作成部１５で作成した俯瞰情報を画面表示したりする表示装置が該当する。
【０１０５】
なお、図２７では１台の装置として図示したが、例えば離散モデリングは別の装置で実行し、操業支援装置では作成済みの離散モデルを格納している等、複数台の装置が協働して図２７に示す機能構成が実現されるようにしてもよい。
【０１０６】
図２８に、操業支援装置が出力装置１７に表示する画面の例を示す。図２８に示す画面は、可到達木作成部１２が作成した可到達木、リスクマトリクス作成部１３が作成したリスクマトリクスを表示する画面の例である。２８０１は鋼の状態欄であり、操業支援装置が上位のプロセスコンピュータから取得する等した現在の鋼の状態が表示される。この鋼の状態欄２８０１では、連続鋳造プロセスの離散モデルに合わせて、ＴＤステージ、ノズルステージ、鋳型ステージ、及び垂直領域ステージの４つに区分され、ステージ毎に定義された製造物の属性及びその状態が表示される。
【０１０７】
２８０２は危機状態指定欄であり、操業者が入力装置１６を介して危機状態を入力、指定する。この危機状態入力欄２８０２で指定された危機状態について、可到達木作成部１２は初期状態から当該危機状態に至るまでの経路を表わす可到達木を作成し、リスクマトリクス作成部１３はリスクマトリクスを作成する。
【０１０８】
２８０３は「状態」表示部であり、危機状態入力欄２８０２で指定された危機状態についてのリスクマトリクスに基づいて、各「状態」の危険度及びその内容が表示される。「状態」の危険度は、図１９に示した縦軸の値であり、例えば最も安全な側から危険度０、危険度１、・・・のように表示される。また、「状態」の内容は、「状態」に含まれる製造物の属性の状態であり、例えば危機状態「ノズル詰まり２」の場合は「ＴＤ温度低、ノズル温度普、ノズル整流」のように表示される。
【０１０９】
最上段の項目「初期状態」には、初期状態の危険度及びその内容が表示される。２段目の項目「１ステップ」には、初期状態から遷移可能な「状態」の危険度及びその内容が表示される。図１９の例でいえば、初期状態につながる３つの「状態」、すなわち発生確度が左から２番目の３つの「状態」の危険度及びその内容が列挙される。以下同様に、項目「２ステップ」には、１ステップ目の「状態」につながる４つの「状態」の危険度及びその内容が列挙される。項目「３ステップ」（図２８では図示省略）には、２ステップ目の「状態」につながる３つの「状態」の危険度及びその内容が列挙される。項目「４ステップ」（図２８では図示省略）には、３ステップ目の「状態」につながる３つの「状態」の危険度及びその内容が列挙される。
【０１１０】
２８０４は可到達木表示欄であり、危機状態入力欄２８０２で指定された危機状態についての可到達木やリスクマトリクスが表示される。この場合に、可到達木やリスクマトリクスの全体が表示されるようにしてもよいし、その一部だけが表示されるようにしてもよい。例えば「状態」表示部２８０３において所望の「状態」が選択可能となっており、その選択された「状態」を中心にそれにつながる前後の「状態」が可到達木表示欄２８０４に表示されるようにしてもよい。
【０１１１】
図２９に、操業支援装置が出力装置１７に表示する画面の例を示す。図２９に示す画面は、俯瞰情報作成部１５が作成した俯瞰情報を表示する画面の例である。各項目２９０１には、俯瞰情報を作成するのに用いられた複数の危機状態がそれぞれ表示される。図２４の例でいえば、各項目２９０１に「危機状態１」、「危機状態２」、「危機状態３」、「危機状態４」のように表示される。
【０１１２】
また、各表示欄２９０２には、初期状態から危機状態に至るまでの距離、すなわち状態遷移数が表示される。図２４の例でいえば、「危機状態１」に至るまでの初期状態からの状態遷移数が２であるので、「距離：２状態遷移」のように表示される。また、その状態遷移の内容が表示される。例えば「距離：２状態遷移」の場合に、初期状態から次の「状態」への状態遷移がノズル温度普からノズル温度低への変化であり、当該次の「状態」から危機状態への状態遷移がノズル偏流無（整流）からノズル偏流有への変化であれば、「（ノズル温度：普→低）、（ノズル：整流→偏流）」のように表示される。
【０１１３】
また、図２９の画面において、図示は省略するが、危機状態を選定し、それを回避するためのオペレーションを決定できるようになっている。危機状態を選定し、オペレーションを決定すると、判定部１４は、この選定された危機状態に対するオペレーションが、他の各危機状態に至るまでの経路に対して影響を与えるかどうかを判定する。そして、各表示欄２９０２には、当該オペレーション後の距離及び状態遷移の内容が表示される。図２５の例でいえば、「危機状態１」に対するオペレーションを実施すると、そのオペレーションの影響を受けて、「危機状態３」には４回の状態遷移であったものが２回の状態遷移で至るようになる。この場合、図２９に示すように、「危機状態３」の表示欄２９０２では、「距離：４状態遷移」から「距離：２状態遷移」に短縮したことが表示されることになる。したがって、操業者は、「危機状態１」に対する当該オペレーションを実施すると、「危機状態３」が誘発されやすくなることを知ることができる。
【０１１４】
以下、図３０〜図３３を参照して、表２に示した危機状態のうち「ノズル詰まり１」、「ノズル詰まり２」、「ブレークアウト１」及び「オーバーフロー」の４つを対象として俯瞰情報を作成した事例を説明する。なお、図３の説明ではノズルステージでの流量（適切・少）、鋳型（ＭＤ）ステージでの湯面レベル（適切・低）のように定義する例を挙げたが、以下の事例では、より詳細にノズルステージでの流量（多・普・少）、鋳型ステージでの湯面レベル（高・普・低）を定義しているものとする。
【０１１５】
また、連続鋳造プロセスの離散モデルにおいて、ＴＤステージでの温度が、その下流側のノズルステージでの温度に受け渡され、以下同様に、ノズルステージでの温度は鋳型ステージでの温度に受け渡され、鋳型ステージでの温度は垂直領域ステージでの温度に受け渡されると定義しているものとする。また、ノズルステージでの温度が、その下流側の鋳型ステージでのシェル厚に受け渡されると定義しているものとする。また、ノズルステージでの流量が、その下流側の鋳型ステージでの湯面レベルに受け渡されると定義しているものとする。
【０１１６】
なお、以下の説明では、どのステージでのどの製造物の属性のどういった状態であるかを、ステージ＋製造物の属性｛状態｝で表記する。
【０１１７】
図３０に示す事例１は、取鍋１００からタンディッシュ２００へ温度の低い溶鋼が注がれた状況を想定したものであり、初期状態である現在の状態が「ＴＤ温度｛低｝、他は正常」となっている。他は正常とは、詳細に述べれば、ＴＤ粘性｛普｝、ノズル温度｛普｝、ノズル流量｛普｝、ノズル偏流｛無（整流）｝、ＭＤ温度｛普｝、ＭＤシェル厚｛普（適切）｝、ＭＤシェル均一性｛均一｝、ＭＤ湯面レベル｛普｝である。
【０１１８】
この事例１では、「ノズル詰まり２」が現在の状態から最も起こりやすい（距離の短い）危機状態である。過去のトラブル事例と比較しても、同じ状態でプラズマ加熱を行わずに鋳造を続けると、ノズル詰まりが発生した事例があり、起こりやすいトラブルとの整合性が確認された。
【０１１９】
そこで、「ノズル詰まり２」を回避すべくプラズマ加熱を検討する。プラズマ加熱を実施すると、ノズル温度が｛普｝から｛高｝に遷移し、その影響を受けてＭＤシェル厚が｛普｝から｛薄｝に、ＭＤ温度が｛普｝から｛高｝に遷移する。そのため、「ブレークアウト１」において状態遷移ａ、ｂが起こり、３回の状態遷移であったものが、あと１回の状態遷移で「ブレークアウト１」が誘発されるおそれがあることがわかる。
【０１２０】
この場合に、危機状態「ブレークアウト１」では、その危機状態に近い「状態」には「ＭＤシェル均一性｛不均一｝」が含まれるが、比較的遠い安全側の「状態」にはそれが含まれていない。すなわち、鋳型ステージでのシェル均一性が不均一とならないよう注意して操業を行うことで、プラズマ加熱の影響を受けてもそれほど危機状態「ブレークアウト１」に近づかないようにすることができることがわかる。
【０１２１】
図３１に示す事例２は、ノズルが詰まりかけて流量が少なくなっている状況を想定したものであり、初期状態である現在の状態が「ノズル流量｛少｝、他は正常」となっている。他は正常とは、詳細に述べれば、ＴＤ粘性｛普｝、ノズル温度｛普｝、ＴＤ温度｛普｝、ノズル偏流｛無（整流）｝、ＭＤ温度｛普｝、ＭＤシェル厚｛普（適切）｝、ＭＤシェル均一性｛均一｝、ＭＤ湯面レベル｛普｝である。
【０１２２】
この事例２では、「ノズル詰まり１」が現在の状態から最も起こりやすい（距離の短い）危機状態である。
【０１２３】
そこで、「ノズル詰まり１」を回避すべくノズルつつきを検討する。ノズルつつきを実施すると、ノズル流量が｛少｝から｛普｝、更には｛多｝に遷移し、その影響を受けてＭＤ湯面レベルが｛普｝から｛高｝に遷移する。そのため、「オーバーフロー」において状態遷移ａ、ｂ、ｃが起こり、４回の状態遷移であったものが、あと１回の状態遷移で「オーバーフロー」が誘発されるおそれがあることがわかる。
【０１２４】
この場合に、危機状態「オーバーフロー」では、その危機状態に近い「状態」には「ノズル偏流｛有｝」が含まれるが、比較的遠い安全側の「状態」にはそれが含まれていない。すなわち、ノズルステージでの流れが偏流とならないよう注意して操業を行うことで、ノズルつつきの影響を受けてもそれほど危機状態「オーバーフロー」に近づかないようにすることができることがわかる。過去のトラブル事例と比較しても、同じ状態で、ノズルステージで偏流があるにもかかわらずノズルつつきを実施すると、オーバーフローが発生した事例があり、起こりやすいトラブルとの整合性が確認された。
【０１２５】
図３２、図３３に示す事例３は、ノズル詰まりとブレークアウトの２つの徴候がみられる状況を想定したものであり、初期状態である現在の状態が「ノズル偏流（有）、ＭＤシェル均一性｛不均一｝、他は正常」となっている。他は正常とは、詳細に述べれば、ＴＤ粘性｛普｝、ノズル温度｛普｝、ノズル流量｛普｝、ＴＤ温度｛普｝、ＭＤ温度｛普｝、ＭＤシェル厚｛普（適切）｝、ＭＤ湯面レベル｛普｝である。
【０１２６】
そこで、図３２に示すように、「ノズル詰まり２」を回避すべくプラズマ加熱を検討する。プラズマ加熱を実施すると、ノズル温度が｛普｝から｛高｝に遷移し、その影響を受けてＭＤ温度が｛普｝から｛高｝に、ＭＤシェル厚が｛普｝から｛薄｝に遷移する。そのため、「ブレークアウト１」において状態遷移ａ、ｂが起こり、「ブレークアウト１」が誘発されるおそれがあることがわかる。
【０１２７】
また、図３３に示すように、「ブレークアウト１」を回避すべくタンディッシュ２００における鋼の温度を下げるバブリングを検討する。バブリングを実施すると、ＴＤ温度が｛普｝から｛低｝に遷移し、その影響を受けてノズル温度が｛普｝から｛低｝に遷移する。そのため、「ノズル詰まり１」において状態遷移ａが起こり、３回の状態遷移であったものが、あと１回の状態遷移で「ノズル詰まり１」が誘発されるおそれがあることがわかる。また、「ノズル詰まり２」において状態遷移ｂ、ｃが起こり、「ノズル詰まり２」が誘発されるおそれがあることがわかる。
【０１２８】
このように複数のオペレーションが検討される場合には、それぞれのオペレーションを別々に行う際に注意すべき状態遷移の情報を抽出することができた。
【０１２９】
以上述べたように、原因毎に取るべきアクションとその結果起こる現象を予測したり、アクションを取らなかった場合に起こる現象を予測したりすることが可能になり、操業トラブル回避や操業トラブル発生時のアクションをガイダンスする等、連続鋳造プロセスの操業を支援することができる。
【０１３０】
本発明は、本発明の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行することによっても実現可能である。
【産業上の利用可能性】
【０１３１】
上記実施形態では連続鋳造プロセスを例に説明したが、本発明は、連続する製造物が連続的に流れる製造プロセスであれば適用可能で、例えば熱間圧延（鋼板が連続して流れる）や石油プラント（液体が連続して流れる）にも適用可能である。
【符号の説明】
【０１３２】
１１：離散モデリング部
１２：可到達木作成部
１３：リスクマトリクス作成部
１４：判定部
１５：俯瞰情報作成部
１６：入力装置
１７：出力装置
【図１】
0005845944.tif 000004
【図２】
0005845944.tif 000005
【図３】
0005845944.tif 000006
【図４】
0005845944.tif 000007
【図５】
0005845944.tif 000008
【図６】
0005845944.tif 000009
【図７】
0005845944.tif 000010
【図８】
0005845944.tif 000011
【図９】
0005845944.tif 000012
【図１０】
0005845944.tif 000013
【図１１】
0005845944.tif 000014
【図１２】
0005845944.tif 000015
【図１３】
0005845944.tif 000016
【図１４】
0005845944.tif 000017
【図１５】
0005845944.tif 000018
【図１６】
0005845944.tif 000019
【図１７】
0005845944.tif 000020
【図１８】
0005845944.tif 000021
【図１９】
0005845944.tif 000022
【図２０】
0005845944.tif 000023
【図２１】
0005845944.tif 000024
【図２２】
0005845944.tif 000025
【図２３】
0005845944.tif 000026
【図２４】
0005845944.tif 000027
【図２５】
0005845944.tif 000028
【図２６】
0005845944.tif 000029
【図２７】
0005845944.tif 000030
【図２８】
0005845944.tif 000031
【図２９】
0005845944.tif 000032
【図３０】
0005845944.tif 000033
【図３１】
0005845944.tif 000034
【図３２】
0005845944.tif 000035
【図３３】
0005845944.tif 000036